(57)【要約】【課題】所定領域データに当該領域に適した圧縮方式の圧縮方式により圧縮処理を施すと、画像サイズが所定値未満の領域データにおいて圧縮処理後の画像サイズが圧縮処理前より大きくなってしまう場合でも、画像劣化や処理速度の低下を最小限に留めて高い圧縮率の画像データを得ることのできる画像処理装置を提供する。【解決手段】画像処理装置は、入力画像データから文字領域、図形領域および写真領域を分離して抽出する。抽出した各領域データのうち文字領域データについては、各文字領域データの画像サイズを算出し（Ｓ２０３）、画像サイズがしきい値以上の文字領域データに対してはＭＭＲ圧縮により圧縮処理を施し（Ｓ２０４のＹＥＳおよびＳ２０５）、画像サイズがしきい値未満の文字領域データに対してはＦｌａｔｅ圧縮により圧縮処理を施す（Ｓ２０４のＮＯおよびＳ２０６）。【選択図】        図５
2004173205.tif 000002
【特許請求の範囲】
【請求項１】
画像データから文字領域、図形領域および写真領域を分離して抽出する領域抽出手段と、
前記領域抽出手段により抽出された各領域データに圧縮処理を施す領域圧縮手段と、
前記領域圧縮手段により圧縮処理された各領域データを合成する領域合成手段とを有する画像処理装置であって、
前記領域抽出手段により抽出された所定領域データの画像サイズを算出する画像サイズ算出手段をさらに有し、
前記領域圧縮手段は、前記画像サイズ算出手段により算出された前記所定領域データの画像サイズがしきい値以上の場合第１の圧縮方式により前記所定領域データに圧縮処理を施し、前記画像サイズ算出手段により算出された前記所定領域データの画像サイズが前記しきい値未満の場合第２の圧縮方式により前記所定領域データに圧縮処理を施すことを特徴とする、
画像処理装置。
【請求項２】
前記第１の圧縮方式は、圧縮処理前の画像サイズが前記しきい値未満の前記所定領域データに適用した場合圧縮処理後の画像サイズが圧縮処理前の画像サイズより大きくなるものであり、
前記第２の圧縮方式は、圧縮処理前の画像サイズが前記しきい値未満の前記所定領域データに適用した場合でも圧縮処理後の画像サイズが圧縮処理前より大きくならないものである、
請求項１に記載の画像処理装置。
【請求項３】
前記所定領域データは文字領域データである、請求項１または２に記載の画像処理装置。
【請求項４】
前記第１の圧縮方式はＭＭＲ圧縮であり、前記第２の圧縮方式はＦｌａｔｅ圧縮である、請求項３に記載の画像処理装置。
【請求項５】
画像データから文字領域を抽出する第１段階と、
前記第１段階で抽出された各文字領域データの画像サイズを算出する第２段階と、
前記第２段階で算出された前記各文字領域データの画像サイズがしきい値以上の場合圧縮方式としてＭＭＲ圧縮を選択し、前記第３段階で算出された前記各文字領域データの画像サイズがしきい値未満の場合圧縮方式としてＦｌａｔｅ圧縮を選択する第３段階と、
前記第３段階で選択された圧縮方式により前記各文字領域データに圧縮処理を施す第４段階と、
を有することを特徴とする画像処理方法。
【発明の詳細な説明】
【０００１】
【発明の属する技術分野】
本発明は画像処理装置に関し、特に、文書原稿を読み取って得られた画像データから文字、図形および写真領域をそれぞれ抽出して画像処理を施した後、再合成して文書画像ファイルを作成する画像処理装置に関する。
【０００２】
【従来の技術】
スキャナ等で読み取った画像データは容量が大きく、そのままでの保存や送受信には適さないため、画像の種類に応じて適切な圧縮等の画像処理が施される。ところが、文書原稿を読み取って得られた画像データの場合、文字画像からなる文字領域、図形画像からなる図形領域および写真画像からなる写真領域が混在するため、写真領域に適した不可逆圧縮を行うと容量は小さくなるが文字が読みにくくなり、文字領域に適した圧縮を行うと圧縮率が低くなるという問題がある。そこで、文書原稿にかかる画像データから文字、図形および写真領域をそれぞれ分離して抽出し、各領域に適した圧縮を施した後再度合成して文書画像ファイルを作成する画像処理装置が知られており、かかる画像処理装置によれば画像品質を保持したまま画像ファイルの容量を小さくすることができる。
【０００３】
しかし、上記画像処理装置にあっては、所定領域データにデフォルトの圧縮方式、すなわち当該領域に適した圧縮方式により圧縮処理を施すと、画像サイズが所定値未満の領域データにおいて、圧縮処理後の画像サイズが圧縮処理前より大きくなってしまう場合がある。かかる問題を解決するために、複数の圧縮方式により圧縮処理を行い画像サイズが最小となったものを採用する方法（例えば特許文献１参照）や、上記現象が生ずる領域は圧縮処理を施さないようにする方法（例えば特許文献２参照）等が考えられるが、前者はすべての領域に対してそれぞれ複数の圧縮方式により圧縮処理を施す必要があるため処理が煩雑であり、後者は特定領域について圧縮処理が施されないため全体として画像ファイルの圧縮率が低下するという問題があった。
【０００４】
【特許文献１】
特開平１１−２１５３８２号公報
【特許文献２】
特開平９−１４９２４８号公報
【０００５】
【発明が解決しようとする課題】
本発明は上記従来技術の有する問題点に鑑みなされたものであり、その目的とするところは、文書原稿を読み取って得られた画像データの文字、図形および写真領域をそれぞれ抽出して画像処理を施した後再合成して文書画像ファイルを作成する画像処理装置において、所定領域データに当該領域に適した圧縮方式の圧縮方式により圧縮処理を施すと、画像サイズが所定値未満の領域データにおいて圧縮処理後の画像サイズが圧縮処理前より大きくなってしまう場合でも、画像劣化や処理速度の低下を最小限に留めて高い圧縮率の画像データを得ることのできる画像処理装置を提供することにある。
【０００６】
【課題を解決するための手段】
本発明の上記目的は、下記の手段によって達成される。
【０００７】
（１）  画像データから文字領域、図形領域および写真領域を分離して抽出する領域抽出手段と、
前記領域抽出手段により抽出された各領域データに圧縮処理を施す領域圧縮手段と、
前記領域圧縮手段により圧縮処理された各領域データを合成する領域合成手段とを有する画像処理装置であって、
前記領域抽出手段により抽出された所定領域データの画像サイズを算出する画像サイズ算出手段をさらに有し、
前記領域圧縮手段は、前記画像サイズ算出手段により算出された前記所定領域データの画像サイズがしきい値以上の場合第１の圧縮方式により前記所定領域データに圧縮処理を施し、前記画像サイズ算出手段により算出された前記所定領域データの画像サイズが前記しきい値未満の場合第２の圧縮方式により前記所定領域データに圧縮処理を施すことを特徴とする、
画像処理装置。
【０００８】
（２）  前記第１の圧縮方式は、圧縮処理前の画像サイズが前記しきい値未満の前記所定領域データに適用した場合圧縮処理後の画像サイズが圧縮処理前の画像サイズより大きくなるものであり、
前記第２の圧縮方式は、圧縮処理前の画像サイズが前記しきい値未満の前記所定領域データに適用した場合でも圧縮処理後の画像サイズが圧縮処理前より大きくならないものである、
（１）に記載の画像処理装置。
【０００９】
（３）  前記所定領域データは文字領域データである、（１）または（２）に記載の画像処理装置。
【００１０】
（４）  前記第１の圧縮方式はＭＭＲ圧縮であり、前記第２の圧縮方式はＦｌａｔｅ圧縮である、（１）〜（３）のいずれか１つに記載の画像処理装置。
【００１１】
（５）  画像データから文字領域を抽出する第１段階と、
前記第１段階で抽出された各文字領域データの画像サイズを算出する第２段階と、
前記第２段階で算出された前記各文字領域データの画像サイズがしきい値以上の場合圧縮方式としてＭＭＲ圧縮を選択し、前記第３段階で算出された前記各文字領域データの画像サイズがしきい値未満の場合圧縮方式としてＦｌａｔｅ圧縮を選択する第３段階と、
前記第３段階で選択された圧縮方式により前記各文字領域データに圧縮処理を施す第４段階と、
を有することを特徴とする画像処理方法。
【００１２】
【発明の実施の形態】
以下、本発明の実施の形態を、図面を参照して詳細に説明する。
【００１３】
図１は、本発明の実施形態にかかる画像処理装置を含む画像処理システムの全体構成を示すブロック図である。本画像処理システムは、画像処理装置１と、画像入力元装置としてのスキャナ２と、画像出力先装置としてのファイルサーバ３とを備え、これらはコンピュータネットワーク４を介して相互に通信可能に接続されている。なお、コンピュータネットワーク４に接続される機器の種類および台数は、図１に示す例に限定されない。
【００１４】
図２は、本実施形態にかかる画像処理装置１の構成を示すブロック図である。図２において、画像処理装置１は、制御部１０１、記憶部１０２、操作部１０３、入力インタフェース部１０４、出力インタフェース部１０５、領域抽出部１０６、画像処理部１０７、領域合成部１０８およびファイル形式変換部１０９を備えており、これらは信号をやり取りするためのバス１１０を介して相互に接続されている。
【００１５】
制御部１０１はＣＰＵであり、プログラムにしたがって上記各部の制御や各種の演算処理等を行う。記憶部１０２は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００１６】
操作部１０３は、出力領域、画像処理の種別、カラーモード、出力ファイル形式、送信先等の設定を行い、または動作開始等の指示を行うためのキーや操作パネル等から構成される。ここで、出力領域の設定は、抽出した文字、図形または写真領域のいずれをまたはすべてを出力するかを選択することにより行う。画像処理の種別の設定は、抽出領域に対する画像処理の種別として、２値化、減色、解像度変換、スムージング、圧縮処理等の有無を選択する。カラーモードの設定は、出力ファイルのカラー、モノクロ、グレースケールの別を選択する。出力ファイル形式の設定は、出力ファイルのファイル形式を選択することにより行う。なお、出力ファイル形式としては、各種文書作成ソフトの文書形式や、ポストスクリプト（登録商標）、ＰＤＦ等の汎用フォーマットが挙げられる。送信先の設定は、画像出力先装置のＩＰアドレス、ホスト名、メールアドレス等を入力して行う。
【００１７】
入力インタフェース部１０４は、外部の画像入力元装置から画像データの入力を受けるためのインタフェースであり、出力インタフェース１０５は、外部の画像出力先装置に出力ファイルを送信するためのインタフェースである。
【００１８】
領域抽出部１０６は、入力画像データから文字領域、図形領域および写真領域を分離抽出する処理を行う。画像処理部１０７は、文字領域処理部１０７ａ、図形領域処理部１０７ｂおよび写真領域処理部１０７ｃからなり、それぞれ抽出された文字、図形および写真領域にかかる各領域データに適切な画像処理を施す。領域合成部１０８は、前記画像処理後の文字、図形および写真領域データを合成して内部ファイル形式により合成画像データを作成する。ファイル形式変換部１０９は、内部ファイル形式により作成した合成画像データを設定された出力ファイル形式に変換する。
【００１９】
スキャナ２は、文書原稿を読み取って画像データを取得し、得られた画像データを画像処理装置に送信する。
【００２０】
ファイルサーバ３はコンピュータであり、コンピュータネットワークを介して受信したファイルを格納し、また転送要求に応じて格納したファイルをコンピュータネットワーク上の他の機器に転送する。
【００２１】
コンピュータネットワーク４は、イーサネット（登録商標）、トークンリング、ＦＤＤＩ等の規格により、コンピュータや周辺機器、ネットワーク機器等を接続したＬＡＮや、ＬＡＮ同士を専用線で接続したＷＡＮ等からなる。
【００２２】
つぎに、本実施形態にかかる画像処理装置１が行う画像処理の概要について説明する。図３は、画像処理装置１による画像処理の一例を示した概念図である。図３（ａ）に示すように、スキャナ２から文書原稿を読み込んで得られた入力画像データには、文字画像からなる文字領域、図形画像からなる図形領域および写真画像からなる写真領域が含まれている。このような高容量の画像データを圧縮して低容量化しファイルサーバ３に保存しようとする場合、画像データ全体にそのまま一律に圧縮処理を施したのでは、写真領域等に適した不可逆圧縮を行うと容量は小さくなるが画像の劣化により文字が読みにくくなり、文字領域に適した圧縮を行うと圧縮率が低くなってしまう。そこで、画像処理装置１は、スキャナ２から受信した入力画像データから、文字領域、図形領域および写真領域を分離・抽出し（図３（ｂ））、抽出した各領域データに領域種別に応じた適切な圧縮処理を施した後再度合成して合成画像データを作成し（図３（ｃ））、所定のファイル形式に変換してファイルサーバ３に送信するものである。
【００２３】
ここで、抽出した各領域データの圧縮処理には各領域データに適した圧縮方式がそれぞれ適用されるが、文字領域データの圧縮処理に適用されるべき文字領域データに適した圧縮方式の１つとしてＭＭＲ圧縮がある。ＭＭＲ圧縮は、可逆圧縮であり文字画像の劣化を抑えることができるとともに、処理速度が速く、かつＭＨ圧縮、ＭＲ圧縮、Ｆｌａｔｅ圧縮等の他の可逆圧縮に比べ高い圧縮率が得られるが、アルゴリズムの問題上所定の画像サイズ以下の文字領域データに適用した場合、圧縮処理後の画像サイズが圧縮処理前より大きくなってしまうという問題がある。すなわち、図３（ａ）および（ｂ）において、文字領域▲１▼のような画像サイズの大きい文字領域データをＭＭＲ圧縮した場合、画質、処理速度、圧縮率ともに良好な処理効果が得られるが、文字領域▲２▼または▲３▼のような微小サイズの文字領域データをＭＭＲ圧縮した場合、圧縮処理の前後で画像サイズが逆転してしまう。本実施形態では、後述するように、かかる微小サイズの文字領域データに対しては、圧縮方式を、微小サイズでも圧縮処理後の画像サイズが圧縮処理前より大きくならないＦｌａｔｅ圧縮に切り替えて適用することにより上記問題を解決するものである。
【００２４】
つぎに、本実施形態における画像処理システム全体の動作の概要を説明する。図４は、本実施形態における画像処理装置１の画像処理の手順を示すフローチャートである。図４において、画像処理装置１は画像処理の開始命令があるまで待機する（Ｓ１０１のＮＯ）。ユーザから操作部１０３を介して開始命令の入力を受け付けると（Ｓ１０１のＹＥＳ）、入力インタフェース部１０４を介してスキャナ２に原稿画像の読み取り命令を送信し（Ｓ１０２）、スキャナ２から画像データを受信するまで待機する（Ｓ１０３のＮＯ）。スキャナ２は、画像処理装置１から読み取り命令を受信すると、所定の位置にセットされた原稿の画像を読み取って画像データを生成し、得られた画像データを画像処理装置１に送信する。なお、画像処理の開始命令は通信ネットワーク４上の他の機器から、またはスキャナ２から直接入力されてもよく、この場合上記ステップＳ１０１およびＳ１０２は省略される。
【００２５】
画像処理装置１は、入力インタフェース１０４を介してスキャナ２から画像データを受信すると（Ｓ１０３のＹＥＳ）、受信した画像データを記憶部１０２に保存し、ついで、領域抽出部１０６により入力画像データから文字領域、図形領域および写真領域をそれぞれ分離して各領域データを抽出する（Ｓ１０４）。入力画像データからの各領域データの抽出方法は特に限定されるものではなく既知の方法を用いることができるが、例を挙げれば次のとおりである。
【００２６】
すなわち、まず、領域抽出部１０６により、入力画像データから文字領域を判別して文字領域データを抽出して、その位置情報とともに記憶部１０２に保存する。文字領域の判別方法としては、例えば、画像データから得られたエッジ画像データのエッジ画素の間隔が所定画素数以下であるエッジ画素群の外接矩形内領域を抽出し、文字領域は小エリア内に斜め方向エッジ成分を多く含んでいるという特徴に基づいて、前記外接矩形内領域に含まれる周波数成分のうち斜め方向エッジ成分を特徴量として算出して、斜め方向エッジ成分の含有率により判断する方法等を用いることができる。
【００２７】
ついで、領域抽出部１０６により、抽出した文字領域を周辺画素で補完することにより、入力画像データから非文字画像データを作成して記憶部１０２に保存する。そして、領域抽出部１０６により、非文字画像データから図形領域を判別して図形領域データを抽出して、その位置情報とともに記憶部１０２に保存する。非文字画像データからの図形領域の判別方法としては、図形領域の明度分布はある程度均一であり、写真領域の明度分布は分散しているという特徴に基づいて、明度画像データからえられたエッジ画像データに対し、エッジ画像で分割された領域内の全画素に対し、主走査、副走査２方向でラインごとに明度ヒストグラムを作成して明度分散度を特徴量として算出し、図形領域と写真領域の別を判別する方法等を用いることができる。
【００２８】
そして、領域抽出部１０６により、非文字画像データの抽出した図形領域を周辺画素で補完して、非文字画像データから写真領域データを抽出して、その位置情報とともに記憶部１０２に保存する。
【００２９】
つぎに、画像処理装置１は、画像処理部１０７により、ステップＳ１０４で抽出した各領域データに対し領域種別に応じた画像処理を行う（Ｓ１０５〜Ｓ１０７）。
【００３０】
図５は、本実施形態における画像処理装置１の文字領域処理の手順を示すフローチャートである。図５において、画像処理装置１は、記憶部１０２から文字領域データを読み出し、文字領域処理部１０７ａにより文字領域データに対して前処理を施す（Ｓ２０１）。具体的には、文字領域処理部１０７ａにより、抽出した文字領域データごとに文字色を検出し、文字領域データを二値化して１ビットデータに変換する。ついで、文字領域処理部１０７ａにより、すべての文字領域データに対して画像サイズを算出し、画像サイズに従ってＭＭＲ圧縮またはＦｌａｔｅ圧縮により各文字領域データを圧縮処理して、位置情報等とともに記憶部１０２に保存する。（Ｓ２０２〜Ｓ２０８）。すなわち、まず、処理対象となる文字領域番号ｎを初期化し（Ｓ２０２）、文字領域ｎの画像サイズＳｎを算出する（Ｓ２０３）。ついで、算出した文字領域ｎの画像サイズＳｎをしきい値と比較し（Ｓ２０４）、画像サイズＳｎがしきい値以上の場合には（Ｓ２０４のＹＥＳ）、文字領域ｎをＭＭＲ圧縮により圧縮処理し（Ｓ２０５）、画像サイズＳｎがしきい値未満の場合には（Ｓ２０４のＮＯ）、文字領域ｎをＦｌａｔｅ圧縮により圧縮処理する（Ｓ２０６）。そして、文字領域番号ｎが最大値になるまで文字領域番号ｎをインクリメントし、すべての文字領域データに対して上記ステップＳ２０４〜Ｓ２０６を繰り返す（Ｓ２０７およびＳ２０８）。
【００３１】
前述のとおり、ＭＭＲ圧縮は画質、処理速度および圧縮率の点から総合的に見て文字画像領域に適した圧縮方式であるが、ＭＭＲ圧縮により文字画像データに圧縮処理を施した場合、画像サイズが所定値未満の微小な文字画像データに対しては圧縮処理後の画像サイズが圧縮処理前より大きくなってしまう。一方、Ｆｌａｔｅ圧縮は、文字領域データの圧縮においては画質、処理速度、圧縮率ともにＭＭＲ圧縮より劣るが、微小サイズの文字領域データに対しても圧縮効果が得られ、圧縮処理後の画像サイズが圧縮処理前より大きくなることはない。従って、ＭＭＲ圧縮で文字領域データを圧縮した場合に圧縮処理の前後で画像サイズが逆転する値をしきい値として設定しておき、前記しきい値以上の画像サイズの文字画像データに対しては文字画像領域に適したデフォルトのＭＭＲ圧縮により圧縮処理を行い、前記しきい値未満の画像サイズの文字画像データに対しては、ＭＭＲ圧縮に代えて圧縮処理後の画像サイズが圧縮処理前より大きくならないＦｌａｔｅ圧縮により圧縮処理を行うことにより、圧縮方式の変更による画像劣化や処理速度の低下を最小限に留めて高い圧縮率で画像データを得ることができるものである。なお、ステップＳ２０４で用いるしきい値としては、具体的にはステップＳ２０１の二値化後の画像サイズで１４０〜２５０バイトが好ましいが、かかる範囲に限定されるものではない。
【００３２】
さらに、図４において、図形領域処理として、図形領域処理部１０７ｂにより各図形領域データに対してスムージング処理、減色処理、解像度変換等を施した後、可逆圧縮処理の場合はＦｌａｔｅ圧縮等、不可逆圧縮の場合はＪＰＥＧ圧縮等を行い、位置情報とともに記憶部１０２に保存する（Ｓ１０６）。また、写真領域処理として、写真領域処理部１０７ｃにより写真領域データの解像度変換、スムージング処理等を行った後、ＪＰＥＧ等の非可逆圧縮処理を行い、位置情報とともに記憶部１０２に保存する。
【００３３】
なお、上記文字領域処理（Ｓ１０５）、図形領域処理（Ｓ１０６）および写真領域処理（Ｓ１０７）の各画像処理は、いずれの順序で処理されるものであっても構わない。
【００３４】
ついで、画像処理装置１は、領域合成部１０８により上記画像処理で得られた各領域データをそれぞれの位置情報をもとに合成して合成画像データを取得し、記憶部１０２に保存する（Ｓ１０８）。さらに、ファイル形式変換部１０９により、合成画像データを設定された出力ファイル形式に変換し（Ｓ１０９）、得られた出力ファイル（文書画像ファイル）を出力インタフェース部１０５およびコンピュータネットワーク４を介してファイルサーバ３に送信する（Ｓ１１０）。
【００３５】
ファイルサーバ３は、コンピュータネットワーク４を介して画像処理装置１から出力ファイルを受信すると、受信したファイルをハードディスク等の記憶装置の所定のディレクトリに格納する。そして、コンピュータネットワーク４上の他の機器から当該ファイルの転送要求があると、格納した前記ファイルをコンピュータネットワーク４を介して前記他の機器に転送する。
【００３６】
上記実施形態では、各文字領域データに対しＭＭＲ圧縮をするかＦｌａｔｅ圧縮をするかを判断する際の画像サイズのしきい値を、ＭＭＲ圧縮で文字領域データを圧縮した場合の圧縮処理前後の画像サイズが逆転する値とするものであったが、本発明はこれに限定されるものではなく、例えば、ＭＭＲ圧縮とＦｌａｔｅ圧縮とで文字領域データをそれぞれ圧縮処理した場合の圧縮処理後の画像サイズが逆転する値をしきい値とするものであってもよい。
【００３７】
また、上記実施形態では、文字領域データの圧縮処理に対して画像サイズに応じてＭＭＲ圧縮またはＦｌａｔｅ圧縮を切り替えて適用するものであったが、本発明はかかる態様に限定されるものではなく、文字領域データに対して上記と異なる圧縮方式の組み合わせを切り替えて適用するものであってもよいし、他の領域データに対して上記と同一または異なる圧縮方式の組み合わせを切り替えて適用するものであっても構わない。
【００３８】
上記実施形態では、本発明の画像処理システムにかかる画像入力元装置をスキャナ、および画像出力先装置をファイルサーバとして説明したが、画像入力元装置は、本発明の画像処理装置が画像データを取得できる機器であれば特に限定されるものではなく、画像読取手段、画像データ作成手段、画像データ受信手段、画像処理手段、画像データ記憶手段等を有する機器、例えば、ファクシミリ装置、デジタル複写機等の多機能周辺機器（ＭＦＰ）、デジタルカメラ、パソコン、ワークステーション、サーバ等であってもよい。また、画像出力先装置は、本発明の画像処理装置から取得した画像データを利用する装置であれば特に限定されるものではなく、画像形成手段、画像データ送信手段、画像処理手段、画像データ記憶手段等を有する機器、例えば、ファクシミリ装置、デジタル複写機、パソコン、ワークステーション、サーバ等であってもよい。さらに、本発明の画像処理装置は、上記各手段を有する専用装置の他、画像読取手段、画像データ作成手段、画像データ受信手段、画像データ送信手段、画像形成手段、画像データ記憶手段等と組み合わせて、スキャナ、デジタル複写機、ファクシミリ装置等の多機能周辺機器（ＭＦＰ）、パソコン、ワークステーション、サーバ等のコンピュータ等として構成されてもよい。
【００３９】
本発明による画像処理装置は、上記各手順を実行するための専用のハードウエア回路によっても、また、上記各手順を記述した所定のプログラムをＣＰＵが実行することによっても実現することができる。後者により本発明を実現する場合、画像処理装置を動作させる上記所定のプログラムは、フレキシブルディスクやＣＤ−ＲＯＭ等のコンピュータ読取可能な記録媒体によって提供されてもよいし、インターネット等のネットワークを介してオンラインで提供されてもよい。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、画像処理装置の一機能としてその装置のソフトウエアに組み込んでもよい。
【００４０】
上述した本発明の実施形態には、特許請求の範囲の請求項１〜５に記載した発明以外にも、以下の付記１〜１１に示すような発明が含まれる。
【００４１】
［付記１］  前記第１の圧縮方式は、前記所定領域データに対するデフォルトの圧縮方式である、請求項１または２に記載の画像処理装置。
【００４２】
［付記２］  画像データから文字領域、図形領域および写真領域を分離して抽出する段階（１）と、
段階（１）で抽出された各領域データに圧縮処理を施す段階（２）と、
段階（２）で圧縮処理された各領域データを合成する段階（３）とを有する画像処理方法であって、
段階（１）で抽出された所定領域データの画像サイズを算出する段階（４）をさらに有し、
段階（２）は、前記画像サイズ算出手段により算出された前記所定領域データの画像サイズがしきい値以上の場合第１の圧縮方式により前記所定領域データに圧縮処理を施し、前記画像サイズ算出手段により算出された前記所定領域データの画像サイズが前記しきい値未満の場合第２の圧縮方式により前記所定領域データに圧縮処理を施すことを特徴とする、
画像処理方法。
【００４３】
［付記３］  前記第１の圧縮方式は、圧縮処理前の画像サイズが前記しきい値未満の前記所定領域データに適用した場合圧縮処理後の画像サイズが圧縮処理前の画像サイズより大きくなるものであり、
前記第２の圧縮方式は、圧縮処理前の画像サイズが前記しきい値未満の前記所定領域データに適用した場合でも圧縮処理後の画像サイズが圧縮処理前より大きくならないものである、
付記２に記載の画像処理方法。
【００４４】
［付記４］  前記第１の圧縮方式は、前記所定領域データに対するデフォルトの圧縮方式である、付記２または３に記載の画像処理方法。
【００４５】
［付記５］  前記所定領域データは文字領域データである、付記２〜４のいずれか１つに記載の画像処理方法。
【００４６】
［付記６］  前記第１の圧縮方式はＭＭＲ圧縮であり、前記第２の圧縮方式はＦｌａｔｅ圧縮である、付記５に記載の画像処理方法。
【００４７】
［付記７］  画像データから文字領域、図形領域および写真領域を分離して抽出する手順（１）と、
手順（１）で抽出された各領域データに圧縮処理を施す手順（２）と、
手順（２）で圧縮処理された各領域データを合成する手順（３）とを画像処理装置に実行させる画像処理プログラムであって、
手順（１）で抽出された所定領域データの画像サイズを算出する手順（４）をさらに画像処理装置に実行させるものであり、
手順（２）は、前記画像サイズ算出手段により算出された前記所定領域データの画像サイズがしきい値以上の場合第１の圧縮方式により前記所定領域データに圧縮処理を施し、前記画像サイズ算出手段により算出された前記所定領域データの画像サイズが前記しきい値未満の場合第２の圧縮方式により前記所定領域データに圧縮処理を施すことを特徴とする、
画像処理プログラム。
【００４８】
［付記８］  前記第１の圧縮方式は、圧縮処理前の画像サイズが前記しきい値未満の前記所定領域データに適用した場合圧縮処理後の画像サイズが圧縮処理前の画像サイズより大きくなるものであり、
前記第２の圧縮方式は、圧縮処理前の画像サイズが前記しきい値未満の前記所定領域データに適用した場合でも圧縮処理後の画像サイズが圧縮処理前より大きくならないものである、
付記７に記載の画像処理プログラム。
【００４９】
［付記９］  前記第１の圧縮方式は、前記所定領域データに対するデフォルトの圧縮方式である、付記７または８に記載の画像処理プログラム。
【００５０】
［付記１０］  前記所定領域データは文字領域データである、付記６〜８のいずれか１つに記載の画像処理プログラム。
【００５１】
［付記１１］  前記第１の圧縮方式はＭＭＲ圧縮であり、前記第２の圧縮方式はＦｌａｔｅ圧縮である、付記１０に記載の画像処理プログラム。
【００５２】
［付記１２］  付記７〜１１のいずれか１つに記載の画像処理プログラムを記録したコンピュータ読み取り可能な記録媒体。
【００５３】
【発明の効果】
上述したように、本発明によれば、文書原稿を読み取って得られた画像データの文字、図形および写真領域をそれぞれ抽出して画像処理を施した後再合成して文書画像ファイルを作成する画像処理装置において、所定領域データにデフォルトの圧縮方式、すなわち当該領域に適した圧縮方式により圧縮処理を施すと画像サイズが所定値（しきい値）未満の領域データにおいて圧縮処理後の画像サイズが圧縮処理前より大きくなってしまう場合に、予め当該所定領域データの画像サイズを算出し、画像サイズが前記しきい値以上の領域データに対してはデフォルトの圧縮方式により圧縮処理を施し、画像サイズが前記しきい値未満の領域データに対しては画像サイズが前記しきい値未満でも圧縮処理後の画像サイズが圧縮処理前より大きくならない圧縮方式により圧縮処理を施すので、圧縮方式の変更による画像劣化や処理速度の低下を最小限に留めて高い圧縮率で画像データを得ることができる。
【図面の簡単な説明】
【図１】本発明の実施形態にかかる画像処理装置を含む画像処理システムの全体構成を示すブロック図である。
【図２】図１における画像処理装置１の構成を示すブロック図である。
【図３】画像処理装置１による画像処理の一例を示した概念図である。
【図４】画像処理装置１の画像処理の手順を示すフローチャートである。
【図５】画像処理装置１の文字領域処理の手順を示すフローチャートである。
【符号の説明】
１…画像処理装置、
１０１…制御部、
１０２…記憶部、
１０３…操作部、
１０４…入力インタフェース部、
１０５…出力インタフェース部、
１０６…領域抽出部、
１０７…画像処理部、
１０７ａ…文字領域処理部、
１０７ｂ…図形領域処理部、
１０７ｃ…写真領域処理部、
１０８…領域合成部、
１０９…ファイル形式変換部、
１１０…バス、
２…スキャナ、
３…ファイルサーバ、
４…コンピュータネットワーク。
【図１】
2004173205.tif 000003
【図２】
2004173205.tif 000004
【図３】
2004173205.tif 000005
【図４】
2004173205.tif 000006
【図５】
2004173205.tif 000007